(57)【特許請求の範囲】
【請求項１】
検査対象について予め定めた計測項目の計測を行うセンサと、
該センサから前記計測項目の計測データを受信する端末装置と、
該端末装置を介して複数の前記計測データを収集管理するデータ管理装置と、
を備え、
前記データ管理装置側から可視光を出射し、前記端末装置側で前記可視光を反射すると共にその反射光の反射状態を前記計測データに応じて制御して計測データを送信し、前記データ管理装置側で前記反射光を受光し前記反射状態に応じた受光出力に基づいて前記計測データを記録管理する構成とし、
さらに、前記データ管理装置が、前記端末装置側から前記計測データに付加して送信される端末装置識別用ＩＤの受信の有無に基づいて端末装置の故障診断を行う故障診断機能を備える構成としたことを特徴とするデータ収集システム。
【請求項２】
前記端末装置は、前記可視光を反射し前記計測データに応じた反射状態の反射光を出射するデータ送信部と、前記センサから受信した計測データに基づいて前記データ送信部の反射光の反射状態を可変制御して前記データ送信部からの計測データ送信を制御する制御部と、を備える構成としたことを特徴とする請求項１に記載のデータ収集システム。
【請求項３】
前記データ管理装置は、前記可視光を発光すると共に当該可視光に基づく反射光を受光して前記端末装置との間で光通信を行う送受光部と、該送受光部からの受光出力を処理して端末装置から送信された計測データに対応するデータ信号を生成する信号処理部と、該信号処理部からのデータ信号を記録管理するデータ記録部とを備える構成である請求項１又は２に記載のデータ収集システム。
【請求項４】
前記データ送信部は、反射光の反射強度を変えることにより反射状態を可変する構成である請求項２に記載のデータ収集システム。
【請求項５】
前記データ送信部は、反射光の反射方向を変えることにより反射状態を可変する構成である請求項２に記載のデータ収集システム。
【請求項６】
前記データ送信部は、入射する可視光を再帰反射する再帰反射手段と、前記制御部により駆動制御されて前記再帰反射手段の反射光の反射強度を可変する反射強度可変手段とを備える請求項４に記載のデータ収集システム。
【請求項７】
前記再帰反射手段は、再帰反射プリズムであり、前記反射強度可変手段は、微小変位アクチュエータと、該微小変位アクチュエータに固定し前記再帰反射プリズムの再帰反射面に対して接離可能に配置した誘電体と、前記微小変位アクチュエータを駆動する駆動回路を備える構成であり、前記駆動回路により前記微小変位アクチュエータを駆動して前記誘電体を前記再帰反射面に対して接離動作させて前記再帰反射プリズムからの反射光の反射強度を可変する請求項６に記載のデータ収集システム。
【請求項８】
前記微小変位アクチュエータが、圧電素子である請求項７に記載のデータ収集システム。
【請求項９】
前記データ送信部は、互いに直角に配置した３つの反射ミラーのうち、少なくとも１つを可動可能な可動反射ミラーで構成し、当該可動反射ミラーを可動させて反射光の反射方向を可変するコーナキューブリフレクタを備える請求項５に記載のデータ収集システム。
【請求項１０】
前記可動反射ミラーは、固定部に可動可能に支持され反射ミラーを設けた可動部と、前記可動部を駆動する駆動手段とを備え、前記駆動手段で前記可動部を可動させて前記反射ミラーの反射光の反射方向を可変する構成である請求項９に記載のデータ収集システム。
【請求項１１】
前記検査対象を人とし、前記計測項目を各人の生体データとすることを特徴とする請求項１〜１０のいずれか１つに記載のデータ収集システム。
【請求項１２】
新体力テストの参加者に対する健康状態チェック用の生体データの収集に適用することを特徴とする請求項１１に記載のデータ収集システム。
【請求項１３】
前記データ管理装置の通信可能領域を設定し、複数の参加者がそれぞれ前記センサと端末装置とを装着して前記通信可能領域内に集合し、データ管理装置により各センサで計測した各参加者の生体データを収集する一方、参加者がパソコンにより画面に表示される質問に対する回答を入力し、この入力した回答データと前記生体データとを各参加者毎に対応付けて前記データ管理装置に記録し、この記録データに基づいて各参加者毎に前記新体力テストにおける体力テストの実施が可能か否かを判定可能とした請求項１２に記載のデータ収集システム。
【請求項１４】
前記端末装置は、端末装置固有のハッシュ値を生体データに付加して前記データ管理装置へ送信し、データ管理装置は、受信した前記ハッシュ値に基づいて生体データと参加者とを対応付けて記録する構成とした請求項１３に記載のデータ収集システム。
【請求項１５】
前記端末装置からデータ管理装置へ前記生体データを送信するときに、前記生体データに生体データ受信確認のための情報を付加して送信する構成である請求項１３又は１４に記載のデータ収集システム。
【請求項１６】
前記検査対象を人以外の動物とし、前記計測項目を各動物の生体データとすることを特徴とする請求項１〜１０のいずれか１つに記載のデータ収集システム。
【請求項１７】
前記検査対象をロボット等の機械とし、前記計測項目を各機械の各種計測データとすることを特徴とする請求項１〜１０のいずれか１つに記載のデータ収集システム。
【発明の詳細な説明】
【技術分野】
【０００１】
本発明は、データ収集システムに関し、特に、光通信を利用して多数のデータを収集するデータ収集システムに関する。
【背景技術】
【０００２】
例えば、従来のデータ収集システムの例として、各受診者にＩＣカードを発行し、このＩＣカードに計測器で計測した複数の健康診断データを記録し、端末装置でＩＣカードから健康診断データを読取ることにより、各受信者の健康診断データを収集するシステム（例えば特許文献１参照）や、管理対象者の健康データをセンサで自動計測し、複数の計測データを無線端末から電波を用いて遠隔の管理センタに送信することにより、管理対象者の健康データを収集監視するシステム（例えば、特許文献２参照）がある。
【特許文献１】特開平７−２８９０５号公報
【特許文献２】特開平１０−３０２１８８号公報
【発明の開示】
【発明が解決しようとする課題】
【０００３】
しかしながら、特許文献１に記載されたものは、計測データをＩＣカードに記録するためにＩＣカードを計測器に対して抜差ししたり、ＩＣカードに記録した計測データを収集するために端末装置に対してＩＣカードを抜差ししたりする必要があり、面倒である。また、特許文献２に記載されたものは、ＩＣカードを用いる場合のような面倒さはないが、計測データの送信に電波を利用しているため、病院のような医療現場においては法規制の問題や医療機器及び心臓ペースメーカーへの影響を考慮しなければならない。
【０００４】
本発明は上記問題点に着目してなされたもので、医療現場に適用した場合でも医療機器及び心臓ペースメーカーへの影響等を考慮する必要がない、生体データ等の収集に有効なデータ収集システムを提供することを目的とする。
【課題を解決するための手段】
【０００５】
このため、本発明のデータ収集システムは、検査対象について予め定めた計測項目の計測を行うセンサと、該センサから計測データを受信する端末装置と、該端末装置を介して複数の前記計測データを収集管理するデータ管理装置と、を備え、前記データ管理装置側から可視光を出射し、前記端末装置側で前記可視光を反射すると共にその反射光の反射状態を前記計測データに応じて制御して計測データを送信し、前記データ管理装置側で前記反射光を受光し前記反射状態に応じた受光出力に基づいて前記計測データを記録管理する構成とし、さらに、前記データ管理装置が、前記端末装置側から前記計測データに付加して送信される端末装置識別用ＩＤの受信の有無に基づいて端末装置の故障診断を行う故障診断機能を備える構成としたことを特徴とする。
かかる構成では、センサで検査対象について予め定めた計測項目の計測を行い、端末装置で計測データを受信し、端末装置から光通信によりデータ管理装置へ計測データを送信し、データ管理装置が受信した計測データを記録管理するようになる。また、故障診断機能により端末装置の故障診断が可能になる。
【０００７】
請求項２のように、前記端末装置は、前記可視光を反射し前記計測データに応じた反射状態の反射光を出射するデータ送信部と、前記センサから受信した計測データに基づいて前記データ送信部の反射光の反射状態を可変制御して前記データ送信部からの計測データ送信を制御する制御部と、を備える構成とするとよい。
【０００８】
請求項３のように、前記データ管理装置は、前記可視光を発光すると共に当該可視光に基づく反射光を受光して前記端末装置との間で光通信を行う送受光部と、該送受光部からの受光出力を処理して端末装置から送信された計測データに対応するデータ信号を生成する信号処理部と、該信号処理部からのデータ信号を記録管理するデータ記録部とを備える構成とするとよい。
【０００９】
請求項４のように、前記データ送信部は、反射光の反射強度を変えることにより反射状態を可変する構成としてもよく、請求項５のように、反射光の反射方向を変えることにより反射状態を可変する構成としてもよい。
【００１０】
請求項４のように反射光の反射強度を変える場合、請求項６のように、前記データ送信部は、入射する可視光を再帰反射する再帰反射手段と、前記制御部により駆動制御されて前記該再帰反射手段の反射光の反射強度を可変する反射強度可変手段とを備える構成とするよい。この場合、請求項７のように、前記再帰反射手段は、再帰反射プリズムであり、前記反射強度可変手段は、微小変位アクチュエータと、該微小変位アクチュエータに固定し前記再帰反射プリズムの再帰反射面に対して接離可能に配置した誘電体と、前記微小変位アクチュエータを駆動する駆動回路を備える構成であり、前記駆動回路により前記微小変位アクチュエータを駆動して前記誘電体を前記再帰反射面に対して接離動作させて前記再帰反射プリズムからの反射光の反射強度を可変する構成とするとよい。前記微小変位アクチュエータは、請求項８のように、圧電素子とするとよい。
【００１１】
また、請求項５のように反射光の反射方向を変える場合、請求項９のように、前記データ送信部は、互いに直角に配置した３つの反射ミラーのうち、少なくとも１つを可動可能な可動反射ミラーで構成し、当該可動反射ミラーを可動させて反射光の反射方向を可変するコーナキューブリフレクタを備える構成とするとよい。この場合、請求項１０のように、前記可動反射ミラーは、固定部に可動可能に支持され反射ミラーを設けた可動部と、前記可動部を駆動する駆動手段とを備え、前記駆動手段で前記可動部を可動させて前記反射ミラーの反射光の反射方向を可変する構成とするとよい。
【００１２】
請求項１１のように、前記検査対象を人とし、前記計測項目を各人の生体データとするとよい。この場合、請求項１２のように、新体力テストの参加者に対する健康状態チェック用の生体データの収集に適用するとよい。
【００１３】
請求項１２において、具体的には、請求項１３のように、前記データ管理装置の通信可能領域を設定し、複数の参加者がそれぞれ前記センサと端末装置とを装着して前記通信可能領域内に集合し、データ管理装置により各センサで計測した各参加者の前記生体データを収集する一方、参加者がパソコンにより画面に表示される質問に対する回答を入力し、この入力した回答データと前記生体データとを各参加者毎に対応付けて前記データ管理装置に記録し、この記録データに基づいて各参加者毎に前記新体力テストにおける体力テストの実施が可能か否かを判定可能な構成とするとよい。この場合、請求項１４のように、前記端末装置は、端末装置固有のハッシュ値を生体データに付加して前記データ管理装置へ送信し、データ管理装置は、受信した前記ハッシュ値に基づいて生体データと参加者とを対応付けて記録する構成とするとよい。
また、請求項１５のように、前記端末装置からデータ管理装置へ前記生体データを送信するときに、前記生体データに生体データ受信確認のための情報を付加して送信する構成とするとよい。
【００１５】
請求項１〜１０において、請求項１６のように、前記検査対象を人以外の動物とし、前記計測項目を各動物の生体データとする構成としてもよく、請求項１７のように、前記検査対象をロボット等の機械とし、前記計測項目を各機械の各種計測データとする構成としてもよい。
【発明の効果】
【００１６】
本発明のデータ収集システムによれば、センサで計測した計測データを端末装置からデータ管理装置へ伝送するのに光通信を用いる構成としたので、医療機器や心臓ペースメーカーへの影響を考慮する必要がない。従って、例えば、新体力テストや病院等の医療現場等における人の生体データの収集管理に有効なデータ収集システムを提供することができる。また、故障診断機能によって端末装置の故障診断ができる。
【発明を実施するための最良の形態】
【００１７】
以下、本発明の実施形態を図面に基づいて説明する。
図１は、本発明に係るデータ収集システムの一実施形態のシステム概略図を示す。以下の実施形態では、新体力テストにおいて事前に行われる健康状態チェック用データ（例えば血圧及び心拍数）の収集に適用した例について説明する。
図１において、本実施形態の健康チェックデータ収集システムは、検査対象である新体力テスト参加者（以下、健診者とする）の健康状態チェックのため予め定めた計測項目として例えば血圧、心拍数（生体データ）の計測を行う医療センサ１と、医療センサ１から計測データを受信する端末装置１０と、端末装置１０を介して計測データを収集し管理するデータ管理装置２０とを備え、端末装置１０からデータ管理装置２０へのデータ伝送を、例えば可視光を用いた光通信により行う構成である。尚、計測項目は、血圧、心拍数に限らないが、新体力テストにおいては血圧測定、心拍数測定は必ず行う。尚、可視光に代えて赤外線又は紫外線を用いてもよい。
【００１８】
前記医療センサ１は、健診者に装着して血圧、心拍数を計測するもので、端末装置１０と電気配線で接続されて計測データを伝送する。計測データの出力形式は、アナログ信号とディジタル信号のどちらでもよい。
【００１９】
端末装置１０は、図２に示すように、後述するデータ管理装置２０から出射された可視光を反射し計測データに応じた反射状態の反射光を出射するデータ送信部としての変調部１１と、医療センサ１から受信した計測データに基づいて変調部１１の反射光の反射状態を可変制御して変調部１１による計測データ送信を制御する制御部としてのコントロールユニット１２と、端末装置１０の各部に駆動用電源を供給する電源１３とを備える。
【００２０】
前記変調部１１は、計測データに応じて反射光の反射強度を変えることにより反射状態を可変する構成であって、計測データに応じて反射光を強度変調して計測データを送信するもので、入射する可視光を再帰反射する再帰反射手段としてのコーナーキューブプリズム１１Ａと、コーナーキューブプリズム１１Ａの再帰反射面に対して接離可能に設けた誘電体１１Ｂを一端に固定した微小変位アクチュエータとして例えば圧電素子１１Ｃと、該圧電素子１１Ｃを駆動する駆動回路１１Ｄとを備える。そして、コントロールユニット１２からの計測データに応じた制御信号に基づく駆動回路１１ＤのＯＮ／ＯＦＦ信号で圧電素子１１Ｃを駆動して、図３に示すように、誘電体１１Ｂをコーナーキューブプリズム１１Ａの再帰反射面に対して接離させることにより、再帰反射光の強度を可変する。具体的には、駆動回路１１ＤのＯＦＦ信号で圧電素子１１Ｃにより誘電体１１Ｂが図３（Ａ）のように再帰反射面に接近（図中の距離ｄが小）し、誘電体１１Ｂの吸収作用で再帰反射光は大きく減衰される。一方、駆動回路１１ＤのＯＮ信号で圧電素子１１Ｃにより誘電体１１Ｂが図３（Ｂ）のように再帰反射面から離れ（図中の距離ｄが大）、再帰反射光は減衰することなくそのままの強度で反射する。尚、前記距離ｄについては、適宜設定すればよく、光の波長をλとすると、波長λの１／４より狭くなると反射光量は極めて少なくなり、波長λ以上離せば反射光量は１に近くなる。ここで、前記誘電体１１Ｂ、圧電素子１１Ｃ及び駆動回路１１Ｄで、反射強度可変手段が構成されている。
【００２１】
尚、駆動回路１１Ｄから出力されるＯＮ／ＯＦＦ信号と誘電体１１Ｂの接離動作の関係は、上述した本実施形態の場合と逆（ＯＦＦ信号で離れ、ＯＮ信号で接近する）でもよい。
【００２２】
前記コントロールユニット１２は、例えばマイクロコンピュータを内蔵し、医療センサ１から送信される計測データに応じたディジタル信号を制御信号として駆動回路１１Ｄに出力して駆動回路１１Ｄを駆動制御して変調部１１によるデータ送信を制御する。このコントロールユニット１２内の図示しないメモリに、端末装置１０に予め設定した端末識別用の識別ＩＤが記憶されている。また、コントロールユニット１２は、入力した計測データと健診者の識別情報とを対応付けて一時的に前記メモリに格納する。健診者の識別情報（例えば各健診者に付与した番号情報等）と計測データの対応付けは、医療センサ１側で識別情報を入力し、入力した識別情報を計測データに付加して端末装置１０側に送信するようにしてもよく、端末装置１０に識別情報の入力部を設け、端末装置１０側で入力された識別情報を、医療センサ１から入力した計測データに付加して格納するようにしてもよい。
【００２３】
また、コントロールユニット１２は、図示しないが、センサ接続端子としてアナログ入力端子とディジタル入力端子を備える。アナログ入力端子から入力した計測データは、コントロールユニット１２内でディジタル信号に変換される。尚、少なくともアナログ入力端子とディジタル入力端子のいずれか一方を備えていればよいが、アナログとディジタルの両入力端子を設けておけば、アナログ式とディジタル式のどちらのセンサも使用することができる利点がある。
【００２４】
前記データ管理装置２０は、可視光を出射し、この出射した可視光に基づく反射光を受光し、反射光の反射状態に応じた受光出力に基づいて計測データを解析し記録管理するもので、図４に示すように、可視光を発光すると共に当該可視光に基づく反射光を受光して端末装置１０との間で光通信を行う送受光部２１と、送受光部２１からの受光出力を処理して端末装置１０から送信された計測データに対応するデータ信号を生成する信号処理部２２と、この信号処理部２２からのデータ信号を解析し記録管理するデータ記録部としてのマイクロコンピュータ２３とを備える。
【００２５】
前記送受光部２１は、可視光を発光する光源２１Ａと、端末装置１０からの強度変調された反射光を受光する受光部としてのフォトディテクター２１Ｂと、光源２１Ａの駆動電源である安定化電源２１Ｃと、送受光部２１で発生する熱を放熱するためのヒートシンク２１Ｄと、光源２１Ａ及びフォトディテクター２１Ｂのそれぞれの前面に設けたレンズ２１Ｅ、２１Ｆとを備えて構成される。光源２１Ａ及びフォトディテクター２１Ｂは、図５（Ａ）に示すように、データ管理装置２０のケース２４に形成した窓部２５に設けられ、この窓部２５に、例えば図５（Ｂ）に示すように、光源２１Ａとフォトディテクター２１Ｂ（図の斜線部分）を１つの対としてそれぞれ前面にレンズ２１Ｅ、２１Ｆを設けて４対設けてある。尚、光源２１Ａとフォトディテクター２１Ｂの数及び配置は、図５（Ｂ）に限らない。光源２１Ａとフォトディテクター２１Ｂの数は、少なくとも１対あればよい。また、複数対の光源２１Ａとフォトディテクター２１Ｂの配置として、アレイ状の配置等が考えられる。
【００２６】
前記信号処理部２２は、フォトディテクター２１Ｂの受光出力電流値を電圧値に変換する電流−電圧変換部２２Ａと、電流−電圧変換部２２Ａの出力を増幅する増幅部２２Ｂと、増幅器２２Ｂの増幅出力を波形整形して計測データに対応したパルス信号を生成する波形整形部２２Ｃとを備えて構成される。
【００２７】
マイクロコンピュータ２３は、ＣＰＵ２３Ａ、メモリ２３Ｂ、ディスプレイ２３Ｃ及びキーボード２３Ｄを備え、波形整形部２２Ｃからのパルス信号を生体データ解析用ソフトによりＣＰＵ２３Ａで解析し、解析した計測データをメモリ２３Ｂに格納する。そして、キーボード２３Ｄの操作によりディスプレイ２３Ｃにメモリ２３Ｂに格納した計測データ等を表示することが可能である。
【００２８】
次に、本実施形態のデータ収集システムによる新体力テストにおける健康状態チェック用の生体データの収集動作について説明する。
【００２９】
ここで、新体力テストについて簡単に説明する。
新体力テストは、国民の体力の現状を把握し、体育、スポーツ活動の指導や行政上の資料として活用するための体力・運動能力調査として行われている。新体力テストでは安全性が重要である。このため、参加者に対して、体力テストの前に図６のような質問紙を用いた健康状態のチェックと、図７のような同じく質問紙を用いたＡＤＬ（日常生活活動テスト）を実施し、その結果に基づいて体力テストを実施するか否かを各参加者に対して判定するようにしている。この際、健康状態のチェックにおいて血圧測定と心拍数測定を必ず行う。
【００３０】
本実施形態のデータ収集システムでは、このような新体力テストにおける健康状態チェック用の生体データを効率よく収集することが可能であり、以下に、そのデータ収集動作を説明する。
【００３１】
健診者は、例えば図７のようなＡＤＬの質問画面の表示されたパソコンで、音声質問形式により質問に対する回答を入力する。
その後、各健診者は、医療センサ１及び該医療センサ１と電気配線で接続された端末装置１０とを装着し、例えば図１の円形部分で示されているような予め設定されたデータ管理装置２０の可視光照射領域内に集合する。これにより、端末装置１０とデータ管理装置２０との間で光空間通信可能となり、この状態で各健診者が装着した端末装置１０を介してデータ管理装置２０により健診者の血圧及び心拍数等の生体データの収集を行う。尚、装着する医療センサ１は１つとは限らず、計測項目に応じて複数の医療センサ１を端末装置１０に接続して装着するようにしてもよい。
【００３２】
医療センサ１で計測された健診者の複数の生体データは、医療センサ１から端末装置１０に送信される。端末装置１０では、コントロールユニット１２が医療センサ１からの計測データの入力を検出し計測データの入力完了と判断すると、コントロールユニット１２により駆動回路１１Ｄを駆動制御して健診者の識別情報と計測データの送信を開始する。尚、計測データの入力完了の検出は、計測データのデータ長が決まっているので、「１」、「０」のディジタル信号をビット換算することで判定できる。
【００３３】
データの送信を開始すると、コントロールユニット１２は、「１」、「０」のディジタル信号の計測データ及び識別情報に応じて駆動回路１１Ｄを駆動制御して駆動回路出力をＯＮ/ＯＦＦ制御する。即ち、「０」のときはＯＦＦとして圧電素子１１Ｃを介して誘電体１１Ｂをコーナーキューブプリズム１１Ａに対して図５（Ａ）に示すように接近させ、「１」のときはＯＮにして誘電体１１Ｂを図５（Ｂ）に示すように離間させる。これにより、コーナーキューブプリズム１１Ａの再帰反射光は、「０」のときに減衰されて反射光の強度が零又は低下し、「１」のときに減衰することなくそのまま反射する。このようにして、再帰反射光を強度変調し、計測データと健診者の識別情報をデータ管理装置２０に送信する。
【００３４】
尚、計測データと健診者の識別情報の送信時に、端末装置１０の識別ＩＤも付加して送信するとよい。こうすることにより、データ管理装置２０側で各端末装置１０の識別ＩＤの受信の有無を監視することで、例えば所定時間以上識別ＩＤが受信されない場合に、受信できない識別ＩＤを持つ端末装置１０について故障発生と判断でき、端末装置１０の故障診断が可能である。
【００３５】
データ管理装置２０では、前述の可視光照射領域内に存在する多数の端末装置１０からの変調光をフォトディテクター２１Ｂで受光し、その受光出力を信号処理部２０に送信する。信号処理部２０では、前記受光出力を電流−電圧変換器２２Ａで電圧値に変換し、増幅部２２Ｂで増幅し、波形整形部２２Ｃで波形整形して受信計測データの「１」、「０」に対応するパルス信号を生成する。波形整形部２２Ｃで生成したパルス信号は、マイクロコンピュータ２３に送信される。マイクロコンピュータ２３では、受信したパルス信号に基づいて解析ソフトを用いて計測データを解析し、計測データに付加された健診者の識別情報とその計測データとを対応付けてメモリ２３Ｂに格納する。
【００３６】
かかる構成のデータ収集システムによれば、多数の健診者の血圧及び心拍数データ（生体データ）を集団で一括して収集することができ、新体力テストにかかる時間を短縮できる。また、光通信を用いているので、心臓ペースメーカーを装着した健診者へ影響を与えることがない。また、データ管理装置２０と端末装置１０との間の光通信に再帰反射を利用したので、端末装置を装着した健診者が移動したとしても可視光照射領域内に存在していれば、健診者を追尾することなく光通信ができる。
【００３７】
また、例えばデータ管理装置２０において、計測項目（血圧、心拍数等）について体力テストの実施が可能か否かの判定基準を設定しておき、収集した各計測データと前記判定基準を比較することで、各健診者について体力テストの可否を自動判定することも可能である。この場合、例えば、ディスプレイ２３Ｃに、体力テスト不可と判定した健診者を示す識別情報と生体データとを赤字等で表示するようにすれば、体力テスト不可の健診者を容易に判別できる。
【００３８】
尚、上記実施形態では、端末装置１０からのデータ送信を、計測データに応じて反射光の反射強度を可変する構成としたが、これに限らない。例えば、計測データに応じて反射光の反射方向を可変する構成でもよい。この場合、互いに直角に配置した３つの反射ミラーのうち、少なくとも１つを可動可能な可動反射ミラーで構成し、可動反射ミラーを可動させて反射光の反射方向を可変する構成としたコーナキューブリフレクタを利用するとよい。可動反射ミラーとしては、半導体基板を用いて、固定部に可動可能に支持した可動部を有し、駆動手段により可動部を可動する構成のアクチュエータを利用し、このアクチュエータの可動部に反射ミラーを設ける構成とし、計測データに応じて可動部を可動させて反射光の反射方向を可変する構成としてもよい。この場合、例えば通常状態では可動反射ミラーを他の反射ミラーと直角でない位置に設定し、コーナキューブリフレクタが再帰反射せず反射光がデータ管理装置２０で受光されない状態に設定し、可動反射ミラーを可動することでコーナキューブリフレクタが再帰反射状態になって反射光がデータ管理装置２０で受光されるよう構成する。これにより、計測データの「１」、「０」に対応させ、「１」のときに可動反射ミラーを駆動し、「０」のときは可動反射ミラーを駆動しないことで、計測データをデータ管理装置２０に送信することができる。前記可動反射ミラーの駆動方式は、電磁方式、静電方式、圧電方式等のどのような駆動方式でもよい。また、可動反射ミラーは、可動部を回動して反射方向を制御する構成でもよく、光入射方向に対して可動部を前後方向に可動して反射方向を制御する構成でもよい。
【００３９】
また、本発明のデータ収集システムのセンサから端末装置へのデータ伝送は、有線に限らない。医療機器や心臓ペースメーカー等への影響を考慮する必要がある環境（医療現場等）以外で、電波の使用可能な環境下で適用する場合は、電波による無線通信を用いる構成でもよい。
【００４０】
端末装置１０の識別ＩＤとしてハッシュ値を利用してもよい。データ管理装置２０は、このハッシュ値に基づいて端末装置１０から送信された生体データと健診者とを対応付けて記録する。例えば、端末装置１０固有の製造番号と端末装置が生成する乱数からハッシュ値を作成する。尚、ハッシュ値の作成は、健診開始以前に予め作成しておいてもよく、端末装置を最初に装着した健診者が操作して作成するようにしてもよい。次いで、端末装置１０を装着した健診者は、データ管理装置２０に端末装置１０を近づけてハッシュ値をデータ管理装置２０に送信すると共に、自身の識別データをデータ管理装置１０に入力すると、データ管理装置２０は、ハッシュ値と健診者データを対応付けて記録する。健診者が生体データの測定を行うと、その測定データは、端末装置１０からハッシュ値を付加してデータ管理装置２０へ送信する。データ管理装置は、受信したハッシュ値に基づいて既に入力されている健診者データを検索し、検索した健診者データと受信された測定データを対応付けて記録する。
【００４１】
複数の健診者の生体データを収集するにあたって、計測データ量が異なる場合、データ長が異なる。このような場合は、センサ１と端末装置１０間及び端末装置１０とデータ管理装置２０間のデータ送信において、データ受信の同期を取るため、データ受信側でデータ受信を確認するための情報としてデータ送信側で設定したチップシーケンス或いはチェックサム値とデータサイズ情報を送信データの先頭に付加することにより、受信側においてデータの受信タイミングを取るようにするとよい。これにより、他の健診者の計測データとの混信防止と共に正常にデータ受信ができたか否かを確認できる。また、データ受信確認のための情報としてシーケンス番号を送信データに付加することで、正常にデータ受信ができたか否かを確認できるようにしてもよい。
【００４２】
上述の実施形態では、新体力テストにおける生体データの収集を例として説明したが、本発明のデータ収集装置の適用はこれに限らない。例えば、病院等の医療現場において、手術中の患者の複数の生体データ収集にも好適である。この場合、端末装置１０から光空間通信でデータ管理装置２０へデータ伝送できるため、手術室内の配線を減らせ、しかも、医療機器に影響を与えることもない。
【００４３】
また、市民マラソン等を実施する際に、事前に参加者の健康状態をペースメーカー装着者も含めて集団でチェックすることも可能である。更に、レース中も、コースに複数のデータ収集拠点（例えばデータ管理装置を内蔵したゲート等）を設置し、センサ１と端末装置１０を装着したレース参加者が前記拠点を通過することで、レースの継続が可能な状態か否かを判断することも可能であり、これにより、レース参加者の安全確保を図ることができる。
【００４４】
本発明のデータ収集システムは、上述した例に限らず、人間以外の動物（例えば競走馬、家畜等）の生体データ収集や、移動ロボット等の機械における例えば動作の観察、監視、検査等のための各種計測データ収集等、センサを用いて計測した複数のデータを収集するものであれば、光通信が可能な限りどのようなものにも適用できることは言うまでもない。
【図面の簡単な説明】
【００４５】
【図１】本発明に係るデータ収集システムの一実施例の概略構成図
【図２】端末装置のブロック図
【図３】端末装置のコーナーキューブプリズムによるデータ送信原理の説明図
【図４】データ管理装置のブロック図
【図５】データ管理装置の送受光部の光源及びフォトディテクター取付け状態の説明図
【図６】健康状態チェック用の画面表示の一例を示す図
【図７】ＡＤＬの画面表示の一例を示す図
【符号の説明】
【００４６】
１      医療センサ
１０    端末装置
１１    変調部
１１Ａ  コーナーキューブプリズム
１１Ｂ  誘電体
１１Ｃ  圧電素子
１１Ｄ  駆動回路
１２    コントロールユニット
２０    データ管理装置
２１    送受光部
２１Ａ  光源
２１Ｂ  フォトディテクター
２１Ｃ  安定化電源
２２    信号処理部
２３    マイクロコンピュータ
【図１】
0005370938.tif 000002
【図２】
0005370938.tif 000003
【図３】
0005370938.tif 000004
【図４】
0005370938.tif 000005
【図５】
0005370938.tif 000006
【図６】
0005370938.tif 000007
【図７】
0005370938.tif 000008